(57)【要約】【課題】  情報提供側から利用者側への鍵情報の伝送のセキュリティを高めることができると共に、利用者の特定をも確実に行うことができる。【解決手段】  情報提供装置２００側から利用者端末４００側に暗号化された情報を有してなる情報媒体を配信し、情報提供装置２００と利用者端末４００との間を通信網により結び、この通信網を通じて情報提供装置２００と利用者端末４００とで情報を送受信し、情報提供装置２００にて利用者端末４００の持つ利用者ＩＤとパスワードを利用して情報媒体の暗号化された情報の解読に必要な鍵情報を暗号化し、利用者端末４００にて情報提供装置２００から送信された暗号化鍵情報を利用者ＩＤ、パスワード、読み取り装置ＩＤを利用して解読し、さらに利用者端末４００にて情報媒体から読み取った暗号化された情報をその鍵情報を用いて解読する。【選択図】  図１
2010259085.tif 000002
【特許請求の範囲】
【請求項１】
情報提供側と情報収集側との間を結ぶ情報伝達手段と、
上記情報伝達手段を通じて情報提供側と情報収集側との間で情報を送受信するための送受信手段と、
情報提供側が情報収集側に暗号化された情報を配信するための情報媒体と、
情報収集側から送信された当該情報収集側の持つ少なくとも一つ以上の固有情報を利用して、上記情報媒体の上記暗号化された情報の解読に必要な鍵情報を暗号化する鍵暗号化手段と、
情報提供側から送信された上記暗号化された鍵情報を、上記固有情報を利用して解読する暗号鍵解読手段と、
上記情報媒体の情報を読み取る情報媒体読み取り手段と、
上記解読した鍵情報を用いて、上記情報媒体から読み取った上記暗号化された情報を解読する暗号情報解読手段と
を具備することを特徴とする情報提供収集装置。
【請求項２】
上記情報提供側は、上記情報収集側から送信された、上記情報媒体を特定する媒体識別情報と、当該情報媒体内の情報を特定する情報識別情報とを用いて、課金処理を行うことを特徴とする請求項１記載の情報提供収集装置。
【請求項３】
上記情報収集側の持つ少なくとも一つ以上の固有情報を用いて情報を暗号化する情報暗号化手段を設け、
上記情報提供側に送信する上記媒体識別情報及び情報識別情報を、当該情報暗号化手段により暗号化することを特徴とする請求項２記載の情報提供収集装置。
【請求項４】
上記情報収集側の持つ少なくとも一つ以上の固有情報を用いて情報を暗号化する情報暗号化手段と、
上記情報媒体から読み取った情報を蓄積する情報蓄積手段とを設け、
上記情報媒体から読み取り、上記暗号情報解読手段にて暗号を解読した情報を上記情報蓄積手段に蓄積する際には、上記暗号を解読した情報を上記情報暗号化手段にて暗号化してから蓄積することを特徴とする請求項１記載の情報提供収集装置。
【請求項５】
上記暗号情報解読手段は、上記固有情報に基づいて生成した鍵情報を用いて、上記情報蓄積手段に蓄積した暗号化された情報を解読することを特徴とする請求項４記載の情報提供収集装置。
【請求項６】
上記情報収集側の持つ少なくとも一つ以上の固有情報は、情報媒体毎に各々異なる固有の情報を除く情報であることを特徴とする請求項１記載の情報提供収集装置。
【請求項７】
情報伝達手段を通じて情報提供側との間で情報を送受信するための送受信手段と、
情報提供側より配信され暗号化した情報を有してなる情報媒体から、情報を読み取る情報媒体読み取り手段と、
上記送受信手段を介して送信した少なくとも一つ以上の固有情報を利用して情報提供側にて暗号化され、上記送受信手段を介して受信した鍵情報を、上記固有情報に基づいて解読する暗号鍵解読手段と、
上記解読した鍵情報を用いて、上記情報媒体から読み取った上記暗号化された情報を解読する暗号情報解読手段と
を具備することを特徴とする情報収集装置。
【請求項８】
上記情報媒体を特定する媒体識別情報と、当該情報媒体内の情報を特定する情報識別情報とを上記情報提供側に送信することを特徴とする請求項７記載の情報収集装置。
【請求項９】
上記少なくとも一つ以上の固有情報を用いて情報を暗号化する情報暗号化手段を設け、
上記情報提供側に送信する上記媒体識別情報及び情報識別情報を、当該情報暗号化手段により暗号化することを特徴とする請求項８記載の情報収集装置。
【請求項１０】
上記少なくとも一つ以上の固有情報を用いて情報を暗号化する情報暗号化手段と、
上記情報媒体から読み取った情報を蓄積する情報蓄積手段とを設け、
上記情報媒体から読み取り、上記暗号情報解読手段にて暗号を解読した情報を上記情報蓄積手段に蓄積する際には、上記暗号を解読した情報を上記情報暗号化手段にて暗号化してから蓄積することを特徴とする請求項７記載の情報収集装置。
【請求項１１】
上記暗号情報解読手段は、上記固有情報に基づいて生成した鍵情報を用いて、上記情報蓄積手段に蓄積した暗号化された情報を解読することを特徴とする請求項１０記載の情報収集装置。
【請求項１２】
上記少なくとも一つ以上の固有情報は、情報媒体毎に各々異なる固有の情報を除く情報であることを特徴とする請求項７記載の情報収集装置。
【請求項１３】
情報伝達手段を通じて情報収集側との間で情報を送受信するための送受信手段と、
情報収集側から送信される当該情報収集側の持つ少なくとも一つ以上の固有情報を利用して、上記情報収集側に配信した暗号化された情報を有してなる情報媒体の、当該暗号化された情報の解読に必要な鍵情報を暗号化する鍵暗号化手段と
を具備することを特徴とする情報提供装置。
【請求項１４】
上記情報収集側から送信されてくる上記情報媒体を特定する媒体識別情報と、当該情報媒体内の情報を特定する情報識別情報とを用いて、課金処理を行うことを特徴とする請求項１３記載の情報提供装置。
【請求項１５】
上記情報収集側の持つ少なくとも一つ以上の固有情報を用いて暗号化された上記媒体識別情報及び情報識別情報を、上記情報収集側から送信されてくる上記固有情報を用いて解読する暗号情報解読手段を備えることを特徴とする請求項１４記載の情報提供装置。
【請求項１６】
上記情報収集側の持つ少なくとも一つ以上の固有情報は、情報媒体毎に各々異なる固有の情報を除く情報であることを特徴とする請求項１３記載の情報提供装置。
【請求項１７】
情報提供側と情報収集側との間を結ぶ情報伝達工程と、
上記情報伝達工程を通じて情報提供側と情報収集側との間で情報を送受信する送受信工程と、
情報提供側により配信され暗号化した情報を有してなる情報媒体から、情報を読み取る情報媒体読み取り工程と、
情報収集側から送信された当該情報収集側の持つ少なくとも一つ以上の固有情報を利用して、上記情報媒体の上記暗号化された情報の解読に必要な鍵情報を暗号化する鍵暗号化工程と、
情報提供側から送信された上記暗号化された鍵情報を、上記固有情報を利用して解読する暗号鍵解読工程と、
上記解読した鍵情報を用いて、上記情報媒体から読み取った上記暗号化された情報を解読する暗号情報解読工程と
を有することを特徴とする情報提供収集方法。
【請求項１８】
上記情報提供側は、上記情報収集側から送信された、上記情報媒体を特定する媒体識別情報と、当該情報媒体内の情報を特定する情報識別情報とを用いて、課金処理を行うことを特徴とする請求項１７記載の情報提供収集方法。
【請求項１９】
上記情報収集側の持つ少なくとも一つ以上の固有情報を用いて情報を暗号化する情報暗号化工程を設け、
上記情報提供側に送信する上記媒体識別情報及び情報識別情報を、当該情報暗号化工程により暗号化することを特徴とする請求項１８記載の情報提供収集方法。
【請求項２０】
上記情報収集側の持つ少なくとも一つ以上の固有情報を用いて情報を暗号化する情報暗号化工程と、
上記情報媒体から読み取った情報を蓄積する情報蓄積工程とを設け、
上記情報媒体から読み取り、上記暗号情報解読工程にて暗号を解読した情報を上記情報蓄積工程にて蓄積する際には、上記暗号を解読した情報を上記情報暗号化工程にて暗号化してから蓄積することを特徴とする請求項１７記載の情報提供収集方法。
【請求項２１】
上記暗号情報解読工程では、上記固有情報に基づいて生成した鍵情報を用いて、上記情報蓄積工程にて蓄積した暗号化された情報を解読することを特徴とする請求項２０記載の情報提供収集方法。
【請求項２２】
上記情報収集側の持つ少なくとも一つ以上の固有情報は、情報媒体毎に各々異なる固有の情報を除く情報であることを特徴とする請求項１７記載の情報提供収集方法。
【請求項２３】
情報伝達手段を通じて情報提供側との間で情報を送受信するための送受信工程と、
情報提供側より配信され暗号化した情報が記録されてなる情報媒体から、情報を読み取る情報媒体読み取り工程と、
上記送受信工程を介して送信した少なくとも一つ以上の固有情報を利用して情報提供側にて暗号化され、上記送受信工程を介して受信した鍵情報を、上記固有情報に基づいて解読する暗号鍵解読工程と、
上記解読した鍵情報を用いて、上記情報媒体から読み取った上記暗号化された情報を解読する暗号情報解読工程と
を有することを特徴とする情報収集方法。
【請求項２４】
上記情報媒体を特定する媒体識別情報と、当該情報媒体内の情報を特定する情報識別情報とを上記情報提供側に送信することを特徴とする請求項２３記載の情報収集方法。
【請求項２５】
上記少なくとも一つ以上の固有情報を用いて情報を暗号化する情報暗号化工程を設け、
上記情報提供側に送信する上記媒体識別情報及び情報識別情報を、当該情報暗号化工程により暗号化することを特徴とする請求項２４記載の情報収集方法。
【請求項２６】
上記少なくとも一つ以上の固有情報を用いて情報を暗号化する情報暗号化工程と、
上記情報媒体から読み取った情報を蓄積する情報蓄積工程とを設け、
上記情報媒体から読み取り、上記暗号情報解読工程にて暗号を解読した情報を上記情報蓄積工程にて蓄積する際には、上記暗号を解読した情報を上記情報暗号化工程にて暗号化してから蓄積することを特徴とする請求項２３記載の情報収集方法。
【請求項２７】
上記暗号情報解読工程では、上記固有情報に基づいて生成した鍵情報を用いて、上記情報蓄積工程にて蓄積した暗号化された情報を解読することを特徴とする請求項２６記載の情報収集方法。
【請求項２８】
上記少なくとも一つ以上の固有情報は、情報媒体毎に各々異なる固有の情報を除く情報であることを特徴とする請求項２３記載の情報収集方法。
【請求項２９】
情報伝達手段を通じて情報収集側との間で情報を送受信するための送受信工程と、
情報収集側から送信される当該情報収集側の持つ少なくとも一つ以上の固有情報を利用して、上記情報収集側に配信した暗号化された情報を有してなる情報媒体の、当該暗号化された情報の解読に必要な鍵情報を暗号化する鍵暗号化工程と
を具備することを特徴とする情報提供方法。
【請求項３０】
上記情報収集側から送信されてくる上記情報媒体を特定する媒体識別情報と、当該情報媒体内の情報を特定する情報識別情報とを用いて、課金処理を行うことを特徴とする請求項２９記載の情報提供方法。
【請求項３１】
上記情報収集側の持つ少なくとも一つ以上の固有情報を用いて暗号化された上記媒体識別情報及び情報識別情報を、上記情報収集側から送信されてくる上記固有情報を用いて解読する暗号情報解読工程を備えることを特徴とする請求項３０記載の情報提供方法。
【請求項３２】
上記情報収集側の持つ少なくとも一つ以上の固有情報は、情報媒体毎に各々異なる固有の情報を除く情報であることを特徴とする請求項２９記載の情報提供方法。
【発明の詳細な説明】
【技術分野】
【０００１】
本発明は、例えばテキスト情報と共に映像や音楽等のいわゆるマルチメディア情報或いはプログラム情報を提供し、収集する情報提供収集装置及び方法、情報収集装置及び方法、並びに情報提供装置及び方法に関する。
【背景技術】
【０００２】
音声や各種データ等の情報信号が記録されるデータ記録媒体として、近年は、これら情報信号を光学的に記録するもの、具体的には音楽用のいわゆるコンパクトディスク（ＣＤ）や当該ＣＤ規格のディスクをデータ用に使用するＣＤ−ＲＯＭ等が、全世界に普及している。
【０００３】
また、従来より、情報提供サービスは、例えば電話回線などを用いて利用者端末（情報収集側の端末）と情報提供者とを結び、利用者の所望する情報を取り出す、いわゆるデータベースシステムやパソコン通信システムとして実現されている。また、情報提供サービスとしては、暗号化した情報を記録したいわゆるＣＤ−ＲＯＭなどの大容量メディアを配布すると共に、上記暗号化された情報を復号するための鍵情報を例えば通信を介して利用者に送ることにより、当該ＣＤ−ＲＯＭ内に記録されている暗号化された情報を復号させ、この復号した情報をハードディスク等に複写して利用するようなサービスも出現している。
【０００４】
さらに、特許文献１には、ファイルキーを暗号キーで暗号化したパスワードをコンピュータに入力し、記憶媒体に書き込まれたプログラムを暗号機構で解読するようにして、ソフトウェアプログラムの複製及び共有化を防止する技術が開示されている。
【先行技術文献】
【特許文献】
【０００５】
【特許文献１】特公平２−６０００７号公報
【発明の開示】
【発明が解決しようとする課題】
【０００６】
ところで、上述のようなＣＤやＣＤ−ＲＯＭ等に記録された情報の全てを再生装置で読み取って例えばハードディスク等にコピーし、その後、当該ハードディスクにコピーしたデータを、ＣＤやＣＤ−ＲＯＭ等のエンコーダシステムに供給して新たにＣＤやＣＤ−ＲＯＭを作成することで、元のＣＤやＣＤ−ＲＯＭと全く同じ海賊版を容易に作成することができるという具合に、従来はコピープロテクションなどのセキュリティ機能が充分ではなかった。
【０００７】
また、上述の問題は、次世代のデータ記録媒体と言われているいわゆるディジタルビデオディスク（ＤＶＤ）でも深刻である。
【０００８】
一方、従来の情報提供サービスの方法では、暗号を解くための鍵情報を利用者に伝送する際に、鍵情報そのものを例えば音声を使って電話で伝送するようなことが行われており、特に当該鍵情報に対する暗号化が行われることはなかった。このような鍵情報の伝送方法は、セキュリティの面から不安が大きい。
【０００９】
また、鍵情報の伝送に通信を利用する場合は、通常１対１の接続なので、この鍵情報が盗まれる危険性は少ないが、鍵情報の伝送にネットワークを利用するような場合には、鍵情報の保護に問題がある。
【００１０】
したがって、例えば、暗号化された情報が多量に記録されているメディアを情報提供者が配布し、利用者がこのメディアから必要な情報を所望する場合にのみ、暗号を復号するための鍵情報を伝送すると共に課金を行うような情報提供システムにおいても、上述したように鍵情報の伝送の際におけるセキュリティ面での問題があると、鍵情報が実際の利用者以外の者に知られてしまう虞れがあり、この場合、上記情報提供システム自体が成り立たなくなってしまう。また、利用者が正規の利用者かどうか特定できないと、課金が他人に行われたりしてしまう虞れもあり、やはり情報提供システムが成り立たなくなってしまう。
【００１１】
このようなことから、情報提供者から利用者への鍵情報の伝送のセキュリティをいかに高めるかということ、及び利用者の特定をいかに確実に行えるようにするかということが重要な問題となっている。
【００１２】
そこで、本発明は、上述の実情に鑑み、情報提供者から利用者への鍵情報の伝送のセキュリティを高めることができると共に、利用者の特定をも確実に行うことができる情報提供収集装置及び方法、情報収集装置及び方法、並びに情報提供装置及び方法を提供することを目的とする。
【課題を解決するための手段】
【００１３】
本発明の情報提供／収集装置及び方法は、情報収集側に暗号化された情報を有してなる情報媒体を情報提供側から配信し、情報提供側と情報収集側との間を情報伝達手段により結び、この情報伝達手段を通じて情報提供側と情報収集側とで情報を送受信し、情報提供側にて情報収集側の持つ少なくとも一つ以上の固有情報を利用して情報媒体の暗号化された情報の解読に必要な鍵情報を暗号化し、情報収集側にて情報提供側から送信された上記暗号化された鍵情報を固有情報を利用して解読し、さらに情報収集側にて上記情報媒体から読み取った暗号化された情報を上記解読した鍵情報を用いて解読することにより、上述した課題を解決する。
【００１４】
すなわち、本発明に係る情報提供収集装置は、情報提供側と情報収集側との間を結ぶ情報伝達手段と、上記情報伝達手段を通じて情報提供側と情報収集側との間で情報を送受信するための送受信手段と、情報提供側が情報収集側に暗号化された情報を配信するための情報媒体と、情報収集側から送信された当該情報収集側の持つ少なくとも一つ以上の固有情報を利用して、上記情報媒体の上記暗号化された情報の解読に必要な鍵情報を暗号化する鍵暗号化手段と、情報提供側から送信された上記暗号化された鍵情報を、上記固有情報を利用して解読する暗号鍵解読手段と、上記情報媒体の情報を読み取る情報媒体読み取り手段と、上記解読した鍵情報を用いて、上記情報媒体から読み取った上記暗号化された情報を解読する暗号情報解読手段とを具備することを特徴としている。
【００１５】
本発明に係る情報収集装置は、情報伝達手段を通じて情報提供側との間で情報を送受信するための送受信手段と、情報提供側より配信され暗号化した情報を有してなる情報媒体から、情報を読み取る情報媒体読み取り手段と、上記送受信手段を介して送信した少なくとも一つ以上の固有情報を利用して情報提供側にて暗号化され、上記送受信手段を介して受信した鍵情報を、上記固有情報に基づいて解読する暗号鍵解読手段と、上記解読した鍵情報を用いて、上記情報媒体から読み取った上記暗号化された情報を解読する暗号情報解読手段とを具備することを特徴としている。
【００１６】
本発明に係る情報提供装置は、情報伝達手段を通じて情報収集側との間で情報を送受信するための送受信手段と、情報収集側から送信される当該情報収集側の持つ少なくとも一つ以上の固有情報を利用して、上記情報収集側に配信した暗号化された情報を有してなる情報媒体の、当該暗号化された情報の解読に必要な鍵情報を暗号化する鍵暗号化手段とを具備することを特徴としている。
【００１７】
本発明に係る情報提供収集方法は、情報提供側と情報収集側との間を結ぶ情報伝達工程と、上記情報伝達工程を通じて情報提供側と情報収集側との間で情報を送受信する送受信工程と、情報提供側により配信され暗号化した情報を有してなる情報媒体から、情報を読み取る情報媒体読み取り工程と、情報収集側から送信された当該情報収集側の持つ少なくとも一つ以上の固有情報を利用して、上記情報媒体の上記暗号化された情報の解読に必要な鍵情報を暗号化する鍵暗号化工程と、情報提供側から送信された上記暗号化された鍵情報を、上記固有情報を利用して解読する暗号鍵解読工程と、上記解読した鍵情報を用いて、上記情報媒体から読み取った上記暗号化された情報を解読する暗号情報解読工程とを有することを特徴としている。
【００１８】
本発明に係る情報収集方法は、情報伝達手段を通じて情報提供側との間で情報を送受信するための送受信工程と、情報提供側より配信され暗号化した情報が記録されてなる情報媒体から、情報を読み取る情報媒体読み取り工程と、上記送受信工程を介して送信した少なくとも一つ以上の固有情報を利用して情報提供側にて暗号化され、上記送受信工程を介して受信した鍵情報を、上記固有情報に基づいて解読する暗号鍵解読工程と、上記解読した鍵情報を用いて、上記情報媒体から読み取った上記暗号化された情報を解読する暗号情報解読工程とを有することを特徴としている。
【００１９】
本発明に係る情報提供方法は、情報伝達手段を通じて情報収集側との間で情報を送受信するための送受信工程と、情報収集側から送信される当該情報収集側の持つ少なくとも一つ以上の固有情報を利用して、上記情報収集側に配信した暗号化された情報を有してなる情報媒体の、当該暗号化された情報の解読に必要な鍵情報を暗号化する鍵暗号化工程とを具備することを特徴としている。
【００２０】
本発明によれば、暗号化された情報を有してなる記録媒体から情報を読み出す際には、当該暗号を解読するための鍵情報が必要であるが、この鍵情報は情報提供側が有しており、情報収集側はこの鍵情報の配送を要求するようにし、この際に、鍵情報の受信を受ける情報収集側から情報提供側に当該情報収集側を特定する固有情報を送り、情報提供側は受信した固有情報から情報収集側を特定すると共に課金処理を行う。同時にこの個別情報を利用して暗号解読用の鍵情報を暗号化してから情報収集側に伝送することで、鍵情報の伝送におけるセキュリティ能力を高めるようにしている。また、情報収集側では受信した暗号化された鍵情報を固有情報により解読し、情報の解読用の鍵情報を取り出し、この鍵情報を用いて情報媒体の暗号化されている情報の解読を行う。
【発明の効果】
【００２１】
本発明によれば、情報収集側に暗号化された情報を有してなる情報媒体を情報提供側から配信し、情報提供側と情報収集側との間を情報伝達手段により結び、この情報伝達手段を通じて情報提供側と情報収集側とで情報を送受信し、情報提供側にて情報収集側の持つ少なくとも一つ以上の固有情報を利用して情報媒体の暗号化された情報の解読に必要な鍵情報を暗号化し、情報収集側にて情報提供側から送信された上記暗号化された鍵情報を固有情報を利用して解読し、さらに情報収集側にて上記情報媒体から読み取った暗号化された情報を上記解読した鍵情報を用いて解読することにより、情報提供側から情報収集側への鍵情報の伝送のセキュリティを高めることができると共に、情報収集側の特定をも確実に行うことができる。
【図面の簡単な説明】
【００２２】
【図１】本発明にかかる情報提供システムの構成例を示すブロック回路図である。
【図２】情報提供システムの情報提供装置の構成例を示すブロック回路図である。
【図３】情報提供システムの利用者端末の構成例を示すブロック回路図である。
【図４】情報提供システムでの動作及び伝送される情報について説明するための図である。
【図５】利用者端末から情報提供装置へ暗号化情報を送信するまでの処理の流れを示すフローチャートである。
【図６】情報提供装置から利用者端末へ暗号化した解読鍵情報を送信するまでの処理の流れを示すフローチャートである。
【図７】情報提供装置からの暗号化された解読鍵情報を用いて、情報蓄積媒体の暗号化された情報を解読するまでの利用者端末における処理の流れを示すフローチャートである。
【発明を実施するための形態】
【００２３】
以下、本発明に係る情報提供及び／又は収集方法を適用した実施の形態について、図面を参照しながら詳細に説明する。
【００２４】
本発明の情報提供／収集方法が適用される情報提供／収集装置、すなわち情報提供システムとしては、図１に示すように、情報収集側の利用者端末４００と情報提供者側の情報提供装置２００とが、情報伝達手段としての電話回線やローカルエリアネットワーク（ＬＡＮ）などの通信網３００によって結ばれた状況を想定している。
【００２５】
ここで、上記情報提供システムにおける情報提供装置２００は、図２に示すように、利用者側に送出する情報及び当該送出情報を暗号化するための鍵情報を蓄積する情報蓄積装置２０１と、利用者毎の課金情報及び利用者の電話番号及び利用者の固有番号の情報を蓄積する情報蓄積装置２０２と、送出情報を上記鍵情報に基づいて暗号化する暗号化回路２０３と、送出情報を回線に送出できるように変換する変換器２０４と、通信網（通信回線）３００に情報を送出するための通信回線インターフェイス部２０６と、当該装置２００の制御プログラム及びシステムの構成情報を記憶したＲＯＭ２０９と、上記制御プログラムを実行するＣＰＵ２０７と、ＣＰＵ２０７の一時的な作業情報を記憶しておくためのＲＡＭ２０８と、データバス，アドレスバス，制御バスなどよりなるＣＰＵ２０７のシステムバス２１０とから構成されている。
【００２６】
また、利用者端末４００の構成は、図３に示すように、一時的に情報を記憶しておくＲＡＭ４１１と、例えばハードディスクや光磁気ディスク等の少なくとも情報を保存しておくことができる情報蓄積装置４１２と、情報蓄積装置４１２から読み出した情報を表示するための表示信号を生成する表示回路４１３と、表示回路４１３からの表示信号に基づいた表示を行う表示装置４１４と、当該端末４００を操作するための例えばキーボードやマウス等の操作装置４１５と、情報提供装置２００からの暗号化情報を解読する暗号解読回路４１６と、情報提供者により配布された情報記録媒体を読み出す情報媒体読み取り装置４１７と、情報媒体読み取り装置４１７固有の識別番号（ＩＤ）情報を保持するＲＯＭ４１８と、当該端末４００の制御プログラム及び端末４００の構成情報を記憶したＲＯＭ４２０と、制御プログラムを実行するＣＰＵ４１９と、通信網（通信回線）３００に情報を送出するための通信回線インターフェイス部４２１と、データバス，アドレスバス，制御バスなどよりなるＣＰＵ４１９のシステムバス４２２とから構成されている。
【００２７】
以下に、上述した情報提供装置２００と通信網３００と利用者端末４００とからなる情報提供システムの動作について、利用者側と情報提供者側との間の通信網３００（通信回線）として例えばいわゆるＩＳＤＮ（サービス総合ディジタル網）の回線を利用した場合について説明する。
【００２８】
利用者は、先ず始めに情報提供者が無償或いは有償で配布する大容量の情報蓄積媒体３０１を入手する。なお、上記情報蓄積媒体３０１は、例えば光記録媒体であるいわゆるＣＤ−ＲＯＭなどの大容量の情報蓄積メディアを使用しており、多量の暗号化された情報が記録されている。その他、当該ＣＤ−ＲＯＭのような読み出し専用の媒体以外に、ライトワンス或いは光磁気ディスクのような記録可能な媒体を使用することも可能である。またこのとき、当該利用者端末４００の読み出し専用メモリのＲＯＭ４１８には情報読み取り装置４１７の固有の識別番号（以下読み取り装置ＩＤと呼ぶ）が記録されており、情報蓄積媒体３０１には当該媒体を識別するためのＩＤ（以下媒体識別ＩＤと呼ぶ）及び当該媒体３０１内の各々の情報を識別するためにＩＤ（以下情報識別ＩＤと呼ぶ）が記録されている。さらに、利用者は個別のＩＤ（以下利用者ＩＤと呼ぶ）及びパスワードを持つ。
【００２９】
このような前提の元、利用者が所望の情報を上記情報蓄積媒体３０１から読み出す場合の手順を図４〜図７を用いて詳細に説明する。
【００３０】
図４のＡの部分には、利用者端末４００から情報提供装置２００側に送出する情報を記述してある。すなわち、利用者端末４００から送出する情報は、利用者の固有の番号情報であり、例えば、電話発番号、利用者ＩＤ、パスワード、読み取り装置ＩＤ及び情報の特定に必要な媒体識別ＩＤ、情報識別ＩＤからなる。電話発番号は、利用者の電話番号であり、ＩＳＤＮでは発信者から着信者に向けて電話番号を（発番号）を自動的に送ることができるようになっている。
【００３１】
先ず、図５を用いて、利用者端末４００での動作から説明する。
【００３２】
この図５において、利用者端末４００のＣＰＵ４１９は、ステップＳ５０１にて情報記録媒体である上記情報蓄積媒体３０１が当該端末４００の情報媒体読み取り装置４１７にセットされたか否かの判断を行う。当該ステップＳ５０１で情報記録媒体（情報蓄積媒体３０１）がセットされていないと判断した場合にはこのステップＳ５０１の判断を繰り返し、セットされたと判断した場合にはステップＳ５０２に進む。なお、情報蓄積媒体３０１を読み取る情報媒体読み取り装置４１７は、当該情報蓄積媒体３０１が着脱可能なものである。
【００３３】
次に、利用者は、端末４００の操作装置４１５を操作することにより、情報蓄積媒体３０１内の所望の情報の検索処理を行う。このときのＣＰＵ４１９は、操作装置４１５からの目次情報表示の指示があるか否かの判定を行い、無いと判定した場合にはステップＳ５０２の判定を繰り返し、有ると判定した場合にはステップＳ５０３に進む。ステップＳ５０３では、利用者による操作装置４１５の操作に応じて、端末４００の情報媒体読み取り装置４１７にセットした情報蓄積媒体３０１から目次情報を再生し、この再生された目次情報に基づく表示信号を表示回路４１３が生成し、この表示信号を表示装置４１４に送ることで表示画面上に上記目次情報が表示される。なお、上記目次情報には、上記情報蓄積媒体３０１内に記録されている情報の一部内容の閲覧が可能なものも含まれる。
【００３４】
次のステップＳ５０４では、ＣＰＵ４１９が上記表示装置４１４の表示画面上に表示された目次情報の内から上記操作装置４１５の操作による検索操作がなされているか否かの判断を行い、無いと判断した場合にはステップＳ５０４の判断を繰り返し、有ると判断したときにはステップＳ５０５に進む。このステップＳ５０５では検索中の内容表示が行われる。ステップＳ５０６では、ＣＰＵ４１９において上記検索表示された内容の内の何れかに対して、利用者から操作装置４１５を介して情報を取り出す指示が入力されたか否かの判断を行う。このステップＳ５０６にて取りだし指示がなされていないと判断したときにはステップＳ５０５に戻り、指示されたと判断したときにはステップＳ５０７に進む。このステップＳ５０７では指定された情報のＩＤ情報の読み取りを行う。すなわち、ステップＳ５０４〜ステップＳ５０７までの検索操作においては、利用者が希望する情報を見つけることができたとき、利用者が上記操作装置４１５を操作することにより、情報蓄積媒体３０１からその内容を取り出す指示が行われ、当該指示入力が有ったときにはその指定した情報のＩＤ情報を該当する情報蓄積媒体３０１から読み取る。
【００３５】
次のステップＳ５０８では、情報媒体ＩＤを同様にして情報蓄積媒体３０１から読み取り、ステップＳ５０９に進む。
【００３６】
このステップＳ５０９では、ＣＰＵ４１９が情報提供者に発呼処理を行う。すなわち、予め設定されている情報提供者の電話番号を情報蓄積装置４１２から読み出し、通信回線インターフェイス部４２１に設定する。このとき、ステップＳ５１０のように、当該通信回線インターフェイス部４２１は情報提供者の情報提供装置２００に発呼動作を行い回線を接続する。
【００３７】
次のステップＳ５１１では、ＣＰＵ４１９が情報提供装置２００に送り出す情報を準備し、ステップＳ５１２に進む。ここで、上記情報提供装置２００に送り出す情報は、情報媒体ＩＤ、情報識別ＩＤ、利用者ＩＤ、パスワード、情報媒体読み取り装置ＩＤである。ステップＳ５１２では、ＣＰＵ４１９において、これらのうち情報媒体ＩＤと情報識別ＩＤ、情報媒体読み取り装置ＩＤに対して、利用者ＩＤとパスワードを用いて暗号化処理を行う。
【００３８】
その後、ステップＳ５１３において、暗号化された情報は、通信回線インターフェイス部４２１を介して情報提供者の情報提供装置２００に送られ、ステップＳ５１４にて情報提供装置２００からの送信待ち状態となる。
【００３９】
次に、情報提供者側の処理について説明する。すなわち、図４のＢの部分に記述するように、利用者端末４００からの発呼があると、情報提供装置２００は、媒体識別ＩＤと情報識別ＩＤとから利用者の必要とする情報を特定し、該当する解読鍵情報を、読み取り装置ＩＤ、利用者ＩＤ、パスワード、電話番号を利用して暗号化して利用者端末４００に送信する。
【００４０】
この処理動作を図６を用いて説明すると、ステップＳ５３０では、ＣＰＵ２０７は先ず利用者端末４００からの送信（発呼）が有るか否かの判断を行っており、無いと判断した場合には待ち状態としてステップＳ５３０の判断を繰り返している。このステップＳ５３０において、有ると判断した場合にはステップＳ５３１に進む。このステップＳ５３１では、ＣＰＵ２０７が、上記利用者端末４００から通信回線を通って供給された前記暗号化された情報を、通信回線インターフェイス部２０６、変換器２０４を介して読み込む。
【００４１】
次のステップＳ５３２において、ＣＰＵ２０７は、受信した利用者ＩＤを元に、情報蓄積装置２０２に保存している利用者の課金情報の中にあるパスワードを読み出し、利用者ＩＤと組み合わせて、受信した暗号化情報の解読を行う。次のステップＳ５３３では、上記ステップＳ５３２での解読の結果、読み出された情報媒体ＩＤと情報識別ＩＤを使って、情報蓄積装置２０１に蓄積されている情報媒体管理情報から該当する情報の解読鍵情報を得る。
【００４２】
ステップＳ５３４では、上記得られた解読鍵情報を、利用者ＩＤ、パスワード、読み取り装置ＩＤと共に暗号化回路２０３に送り、ここで暗号化を施した後、ステップＳ５３５にて、変換器２０４、通信回線インターフェイス部２０６を経て、利用者端末４００に送る。すなわち、図４のＣに示すように、情報提供装置２００から利用者端末４００に送られる情報は、暗号化された解読鍵情報である。
【００４３】
次に、上記情報提供装置２００からの暗号化された解読鍵情報を受信した利用者端末４００では、図７に示す処理を行う。すなわち、当該暗号化された解読鍵情報を受信した利用者端末４００では、図４のＤに示すように、固有番号を使って、上記暗号化された解読鍵情報を解読し、この解読した解読鍵情報を利用して情報蓄積媒体３０１上の暗号化されている情報を解読する。
【００４４】
図７において、前記ステップＳ５１４のように情報提供装置２００からの送信待ち状態となっている利用者端末４００では、ステップＳ５１５にて情報提供装置２００からの送信が有ったか否かの判断を行っており、送信が無いときにはこの判断を繰り返し、送信が有ったならばステップＳ５１６の処理を行う。
【００４５】
ステップＳ５１６では、ＣＰＵ４１９が上記通信回線インターフェイス部４２１を通して受信した上記暗号化された解読鍵情報を暗号解読回路４１６に送る。
【００４６】
当該暗号解読回路４１６では、ステップＳ５１７に示すように、利用者ＩＤ、パスワード、情報媒体読み取り装置４１７の固有番号である読み取り装置ＩＤを、ＲＯＭ４１８から受け取り、これらを用いて上記受信した暗号化された解読鍵情報の解読を行う。
【００４７】
次のステップＳ５１８では、上述のようにして暗号解読回路４１６にて解読された解読鍵情報を用いて、ＣＰＵ４１９が情報蓄積媒体３０１に記録されている、暗号化されている所望の情報を読み出させ、暗号解読回路４１６に送る。暗号解読回路４１６では、上記暗号化されている所望の情報の暗号を上記解読鍵情報を用いて解読し、利用者が利用可能な平文情報を得る。
【００４８】
ステップＳ５１９では、上記平文情報を表示回路４１３に送り、当該表示回路４１３にて生成された上記平文情報の表示信号を表示装置４１４に送る。これにより、表示装置４１４の表示画面上には、利用者が読み取ることができる形の上記平文情報の表示がなされる。
【００４９】
なお、上述の説明では、表示装置４１４の表示画面上に平文情報を表示するまでについて述べているが、上記平文化情報を情報蓄積装置４１２に複写する場合には、当該平文化情報をそのまま情報蓄積装置４１２に複写することは行わず、当該平文化情報を前記ＣＰＵ４１９にて情報媒体読み取り装置のＩＤと利用者のＩＤにより暗号化してから蓄積記録するものとする。この情報蓄積装置４１２に蓄積した情報を読み出す場合には、情報蓄積装置４１２からの上記暗号化された情報を、暗号解読回路４１６に送り、ここで情報媒体読み取り装置ＩＤと利用者ＩＤを元に情報の解読を行うようにする。  
また、本構成例では、情報提供者の情報提供装置２００と利用者端末４００との間を接続する情報伝達手段としてＩＳＤＮ回線を用いた例を説明したが、通常のアナログ電話回線やＣＡＴＶ回線（ケーブルテレビジョン回線）、無線通信回線、ＬＡＮ（ローカルエリアネットワーク）等を利用した場合も容易に実現可能であることは言うまでもなく、さらには通信回線ではなく郵便や宅配便にて情報の受け渡しを行う場合であっても、本発明は適用できる。
【００５０】
さらに、上述の例では、利用者の個別の識別情報として利用者ＩＤやパスワードを用いているが、この利用者個別の識別情報としては、利用者端末４００の機器番号や、利用者の電話番号、利用者の定めた暗証番号、ネットワークインターフェイスの物理アドレス等を用いることもできる。なお、利用者端末４００の機器番号を上記個別の識別情報として用いた場合、暗号解読回路４１６に当該機器番号情報が直接供給されるように構成することも可能である。
【００５１】
上述したように、本発明にかかる情報提供システムによれば、多量の情報を大容量の情報記録媒体に纏めて記録したものを利用者に配布し、通信回線やネットワーク等を介して所望の情報についての暗号を解読するための解読鍵情報を伝送するシステムを構築した場合、読み取り装置に固有の番号（ＩＤ）にて暗号化した解読鍵情報を情報提供者側から送信するようにすることで、解読鍵情報を万一回線やネットワークから傍受されたとしても、当該傍受者は正しい解読鍵情報を得ることが不可能となるので、セキュリティ能力を向上することが可能となる。
【００５２】
また、利用者端末から、情報読み取り装置のＩＤ等の利用者固有のＩＤ情報を暗号化して情報提供装置側に送り、それを元にして情報提供装置側では解読鍵情報を暗号化してから利用者端末側に送るようにしていることも、セキュリティの面から有効である。
【００５３】
さらに、情報媒体読み取り装置から他の情報蓄積装置に情報を複写する際にも、必ず読み取り装置のＩＤを使って暗号化してから書き込むようにしているので、違法コピーの防止をすることが可能となる。ここで、読み取り装置のＩＤは利用者から操作や読み取りが不可能な形で構成することで、さらにセキュリティ能力を高めることが可能である。すなわち、情報蓄積媒体から読み出した情報を利用者端末において複製する場合には、一度暗号を解読した情報をそのまま複製することも可能であるが、本発明の構成例では、上述したように、一度解読した情報を再度情報読み取り装置のＩＤ情報の複数の固有情報で暗号化し直すことで、よりセキュリティ能力を高めるようにしている。
【００５４】
なお、米国特許第５，３９２，３５１号の電子化データ保護方式にて示されるように、情報媒体に予め一意の媒体固有番号と共に暗号化した暗号化電子化データを書き込んでおき、許諾側で媒体の一意の媒体固有番号を元に媒体固有鍵を生成し、この媒体固有鍵によって暗号化電子化データ復号鍵を暗号化し、この暗号化したデータを媒体に許諾情報として書き込み、使用側で媒体から読み込んだ媒体固有番号を元に媒体固有鍵を生成し、媒体から読み込んだ許諾情報をこの媒体固有鍵によって復号して元の電子化データ復号鍵を生成し、この電子化データ復号鍵によって媒体から読み込んだ暗号化電子化データを復号し、平文の電子化データを生成するようなものも存在している。しかし、このような情報媒体毎にそれぞれ異なるの固有のＩＤ（例えは媒体固有のシリアルナンバ等）を前提にして電子化データ復号鍵を生成するものの場合、ＣＤ−ＲＯＭのように大量複製される媒体にそれぞれに固有のＩＤ情報を記録することは困難である。これに対して、本発明にかかる情報提供システムにおいては、情報蓄積媒体の媒体識別ＩＤはそれぞれの媒体毎に固有のＩＤである必要はなく、媒体内に記録されている情報も各々の媒体で同一の暗号化処理が行われたものにできるため、大量複製が可能となり、したがってＣＤ−ＲＯＭのような媒体に適用可能である。さらに、上記電子化データ保護方式では、許諾側が電子化データ復号鍵を暗号化し、この暗号化した電子化データ復号鍵を許諾情報として媒体に書き込んでから、使用者側に使用させるようにしているので、このことからも上記ＣＤ−ＲＯＭのように大量複製される媒体には不向きであるのに対して、本発明では、解読鍵情報の伝送の際に、利用者から情報読み取り装置ＩＤなど利用者固有のＩＤを情報提供側に通信回線を介して送出し、情報提供側ではそれを元に解読鍵情報を暗号化して再び通信回線を介して利用者に送り返すようにしているため、大量複製される媒体であっても有効に適用できる。上述のようなことから、本発明によれば、情報記録媒体の製造時に固有の情報を記録しなくてもよいため、製造コストが上昇することなく、安価に製造できることになる。
【００５５】
以上説明したように、本発明の実施の形態によれば、情報収集側に暗号化された情報を有してなる情報媒体を情報提供側から配信し、情報提供側と情報収集側との間を情報伝達手段により結び、この情報伝達手段を通じて情報提供側と情報収集側とで情報を送受信し、情報提供側にて情報収集側の持つ少なくとも一つ以上の固有情報を利用して情報媒体の暗号化された情報の解読に必要な鍵情報を暗号化し、情報収集側にて情報提供側から送信された上記暗号化された鍵情報を固有情報を利用して解読し、さらに情報収集側にて上記情報媒体から読み取った暗号化された情報を上記解読した鍵情報を用いて解読することにより、情報提供側から情報収集側への鍵情報の伝送のセキュリティを高めることができると共に、情報収集側の特定をも確実に行うことができる。
【００５６】
なお、本発明は上述した実施の形態のみに限定されるものではなく、本発明の要旨を逸脱しない範囲において種々の変更が可能であることは勿論である。
【符号の説明】
【００５７】
２００  情報提供装置、  ２０１，２０２，４１２  情報蓄積装置、  ２０３  暗号化回路、  ２０６，４２１  通信回線インターフェイス部、  ２０７，４１９  ＣＰＵ、  ３００  通信網、  ３０１  情報蓄積媒体、  ４００  利用者端末、  ４１３  表示回路、  ４１４  表示装置、  ４１５  操作装置、  ４１６  暗号解読回路、  ４１７  情報媒体読み取り装置
【図１】
2010259085.tif 000003
【図２】
2010259085.tif 000004
【図３】
2010259085.tif 000005
【図４】
2010259085.tif 000006
【図５】
2010259085.tif 000007
【図６】
2010259085.tif 000008
【図７】
2010259085.tif 000009
【手続補正書】
【提出日】平成22年7月21日(2010.7.21)
【手続補正２】
【補正対象書類名】明細書
【補正対象項目名】０００１
【補正方法】変更
【補正の内容】
【０００１】
本発明は、例えばテキスト情報と共に映像や音楽等のいわゆるマルチメディア情報或いはプログラム情報を提供し、収集するために用いられる情報通信システム、電子機器及び情報提供装置に関する。
【手続補正３】
【補正対象書類名】明細書
【補正対象項目名】００１２
【補正方法】変更
【補正の内容】
【００１２】
そこで、本発明は、上述の実情に鑑み、情報提供者から利用者への鍵情報の伝送のセキュリティを高めることができると共に、利用者の特定をも確実に行うことができる情報通信システム、電子機器及び情報提供装置を提供することを目的とする。
【手続補正４】
【補正対象書類名】明細書
【補正対象項目名】００１３
【補正方法】変更
【補正の内容】
【００１３】
本発明に係る情報通信システムは、上述した課題を解決するために、情報提供装置と情報収集装置との間を結ぶ情報伝達手段を介して上記情報提供装置と上記情報収集装置との間で情報を送受信する情報通信システムにおいて、上記情報提供装置は、上記情報伝達手段を通じて上記情報収集装置から固有の識別情報を受信する受信手段と、受信した上記固有の識別情報を用いて、上記情報収集装置が保有する暗号化された情報の解読に必要な鍵情報を暗号化する鍵暗号化手段と、上記鍵情報を暗号化して得られた暗号化鍵情報を送信する送信手段とを備え、上記情報収集装置は、不揮発性記憶手段に予め記憶された固有の識別情報が直接供給される暗号解読手段と、上記固有の識別情報を送信する送信手段と、上記固有の識別情報を用いて暗号化された暗号化情報を受信する受信手段とを備え、上記暗号解読手段は、上記不揮発性記憶手段から直接供給された上記固有の識別情報を用いて上記情報提供装置から送信された上記暗号化鍵情報を解読し、解読した鍵情報を用いて、上記情報収集装置が保有する上記暗号化された情報を解読して平文情報を生成する。
【手続補正５】
【補正対象書類名】明細書
【補正対象項目名】００１４
【補正方法】変更
【補正の内容】
【００１４】
本発明に係る電子機器は、上述した課題を解決するために、不揮発性記憶手段に予め記憶された固有の識別情報が直接供給される暗号解読手段と、上記固有の識別情報を送信する送信手段と、上記固有の識別情報を用いて暗号化された暗号化情報を受信する受信手段とを備え、上記暗号解読手段は、上記不揮発性記憶手段から直接供給された上記固有の識別情報を用いて情報提供装置から送信された暗号化鍵情報を解読し、上記解読した鍵情報を用いて、保有する暗号化された情報を解読して平文情報を生成する。
【手続補正６】
【補正対象書類名】明細書
【補正対象項目名】００１５
【補正方法】変更
【補正の内容】
【００１５】
本発明に係る情報提供装置は、上述した課題を解決するために、情報伝達手段を介して情報提供装置と情報収集装置との間で情報を送受信する情報通信システムに用いられる情報提供装置において、上記情報伝達手段を通じて上記情報収集装置から固有の識別情報を受信する受信手段と、受信した上記固有の識別情報を用いて、上記情報収集装置が保有する暗号化された情報の解読に必要な鍵情報を暗号化する鍵暗号化手段と、上記鍵情報を暗号化して得られた暗号化鍵情報を送信する送信手段とを備える。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
本発明によれば、情報提供装置と情報収集装置との間を情報伝達手段により結び、この情報伝達手段を通じて情報提供装置と情報収集装置とで情報を送受信し、情報提供装置にて情報収集装置からの固有の識別情報を用いて暗号化された情報の解読に必要な鍵情報を暗号化し、情報収集装置にて情報提供装置から送信された上記暗号化された鍵情報を固有の識別情報を利用して解読し、さらに情報収集装置にて上記暗号化された情報を上記解読した鍵情報を用いて解読することにより、情報提供装置から情報収集装置への鍵情報の伝送のセキュリティを高めることができると共に、情報収集装置の特定をも確実に行うことができる。
【手続補正１３】
【補正対象書類名】明細書
【補正対象項目名】００２３
【補正方法】変更
【補正の内容】
【００２３】
以下、本発明を情報提供及び／又は収集方法に適用した実施の形態について、図面を参照しながら詳細に説明する。
【手続補正１４】
【補正対象書類名】明細書
【補正対象項目名】００２４
【補正方法】変更
【補正の内容】
【００２４】
本発明の実施の形態の情報提供／収集方法が適用される情報提供／収集装置、すなわち情報通信システムである情報提供システムとしては、図１に示すように、情報収集側の利用者端末４００と、情報提供者側の情報提供装置２００とが、情報伝達手段である通信手段としての電話回線やローカルエリアネットワーク（ＬＡＮ）などの通信網３００によって結ばれた状況を想定している。
【手続補正１５】
【補正対象書類名】特許請求の範囲
【補正対象項目名】全文
【補正方法】変更
【補正の内容】
【特許請求の範囲】
【請求項１】
情報提供装置と情報収集装置との間を結ぶ情報伝達手段を介して上記情報提供装置と上記情報収集装置との間で情報を送受信する情報通信システムにおいて、
上記情報提供装置は、
上記情報伝達手段を通じて上記情報収集装置から固有の識別情報を受信する受信手段と、
受信した上記固有の識別情報を用いて、上記情報収集装置が保有する暗号化された情報の解読に必要な鍵情報を暗号化する鍵暗号化手段と、
上記鍵情報を暗号化して得られた暗号化鍵情報を送信する送信手段とを備え、
上記情報収集装置は、
不揮発性記憶手段に予め記憶された固有の識別情報が直接供給される暗号解読手段と、
上記固有の識別情報を送信する送信手段と、
上記固有の識別情報を用いて暗号化された暗号化情報を受信する受信手段とを備え、
上記暗号解読手段は、上記不揮発性記憶手段から直接供給された上記固有の識別情報を用いて上記情報提供装置から送信された上記暗号化鍵情報を解読し、解読した鍵情報を用いて、上記情報収集装置が保有する上記暗号化された情報を解読して平文情報を生成する
情報通信システム。
【請求項２】
不揮発性記憶手段に予め記憶された固有の識別情報が直接供給される暗号解読手段と、
上記固有の識別情報を送信する送信手段と、
上記固有の識別情報を用いて暗号化された暗号化情報を受信する受信手段とを備え、
上記暗号解読手段は、上記不揮発性記憶手段から直接供給された上記固有の識別情報を用いて情報提供装置から送信された暗号化鍵情報を解読し、上記解読した鍵情報を用いて、保有する暗号化された情報を解読して平文情報を生成する
電子機器。
【請求項３】
情報伝達手段を介して情報提供装置と情報収集装置との間で情報を送受信する情報通信システムに用いられる情報提供装置において、
上記情報伝達手段を通じて上記情報収集装置から固有の識別情報を受信する受信手段と、
受信した上記固有の識別情報を用いて、上記情報収集装置が保有する暗号化された情報の解読に必要な鍵情報を暗号化する鍵暗号化手段と、
上記鍵情報を暗号化して得られた暗号化鍵情報を送信する送信手段とを備える
情報提供装置。